(57)【要約】少なくとも１つの水平軸の周りを回動する家具のリーフ（１３）用の引き上げシステム（１４）は、家具の固定部（１１，１２）に接続することができる支持体（１５）と、支持体（１５）を家具のリーフ（１３）に接続する第１レバー（１７）と第２レバー（１９）とを有する関節式レバーシステム（１６）と、関節式レバーシステム（１６）の回転トルクを発生させるために、関節式レバーシステム（１６）に機能的に接続されている弾性作動手段（２４，２６）と、を備える。引き上げシステム（１４）は、更に、弾性作動手段（２４，２６）と協働して、リーフの引き上げ位置を含むリーフの開く方向の少なくとも一部の回動に沿って回転トルクを増加させる手段を備える。
2018508677.tif 000002
【特許請求の範囲】
【請求項１】
閉合位置と引き上げ開き位置との間で少なくとも１つの水平軸の周りを回動する家具のリーフ（１３）用の引き上げシステム（１４）であって、
前記家具の固定部（１１，１２）に接続可能な支持体（１５）と、
前記支持体（１５）を前記家具のリーフ（１３）に接続する関節式レバーシステム（１６）であって、前記関節式レバーシステム（１６）は、回転ピン（１８）を介して前記支持体（１５）に回転可能に接続された一端を有する第１レバー（１７）と、前記家具の前記リーフ（１３）に固定するための要素（２１）に回転可能に接続可能な一端を有する第２レバー（１９）とを含み、前記第１レバー（１７）と前記第２レバー（１９）とは、それぞれの他端において相互に関節接合している、前記関節式レバーシステム（１６）と、
前記関節式レバーシステム（１６）の回転トルクを発生させるために、前記関節式レバーシステム（１６）に機能的に接続された弾性作動手段（２４，２６）と、
を備える前記引き上げシステム（１４）において、
前記弾性作動手段（２４，２６）と協働して、前記リーフの前記引き上げ位置を含む前記リーフの開く方向の少なくとも一部の回動に沿って前記回転トルクを増加させる手段を備えることを特徴とする、引き上げシステム（１４）。
【請求項２】
前記トルクを増加させる前記手段は、前記関節式レバーシステム（１６）の前記レバー（１７，１９）の少なくとも１つに設けられたカム手段（２３，２５）を有することを特徴とする、請求項１に記載の引き上げシステム（１４）。
【請求項３】
前記カム手段は、前記関節式レバーシステム（１６）の前記第１レバー（１７）に接続されたカム要素（２３）を含み、
前記弾性作動手段（２４）は、前記支持体（１５）と前記第１レバー（１７）との間に設置され、前記カム要素（２３）に機能的に接続されている、
ことを特徴とする、請求項２に記載の引き上げシステム（１４）。
【請求項４】
前記弾性作動手段（２４）は、
前記支持体（１５）に回転可能に接続されている第１部分（２８）と、
第２部分（２９）であって、前記第２部分（２９）は、長手軸に沿って摺動可能のように前記第１部分（２８）に接続され、前記レバー（１７）の回転ピン（１８）から離れている前記第１レバー（１７）における一点（３２）で回転及び摺動可能のようにシステムの前記第１レバー（１７）にも接続されている、前記第２部分（２９）と、
前記第１部分（２８）と前記第２部分（２９）との間に挿入された少なくとも１つの軸方向に変形可能な弾性要素（３０）と、
前記第２部分（２９）に接続され、前記カム手段（２３）に作用するように形成及び設置された摺動又はローリング手段（３１）と、
を有することを特徴とする、
請求項３に記載の引き上げシステム（１４）。
【請求項５】
前記関節式レバーシステム（１６）の前記支持体（１５）と前記第１レバー（１７）との間に設置され、前記第１レバー（１７）に機能的に接続されている第１の軸方向に変形可能な弾性手段を有する前記弾性作動手段を備える前記引き上げシステム（１４）において、
前記カム手段は、前記関節式レバーシステム（１６）の前記第１レバー（１７）又は前記第２レバー（１９）の一方に接続されているカム要素を含み、
前記弾性作動手段は、第２の軸方向に変形可能な弾性手段を有し、
前記第２の軸方向に変形可能な弾性手段は、
前記関節式レバーシステム（１６）の前記第１レバー（１７）又は前記第２レバー（１９）の他方に設置され、摺動又はローリング手段を介して、前記カム要素に機能的に接続されており、前記摺動又はローリング手段は、前記第２の弾性手段が設けられたレバー（１７）によって摺動可能のように支持されている、
ことを特徴とする、請求項２に記載の引き上げシステム（１４）。
【請求項６】
前記カム手段は、
前記関節式レバーシステム（１６）の前記第１レバー（１７）に接続された第１カム要素（２３）であって、前記弾性作動手段は、第１の軸方向に変形可能な弾性手段（２４）を有し、前記第１の軸方向に変形可能な弾性手段（２４）は、前記支持体（１５）と前記第１レバー（１７）との間に設置され、前記第１カム要素（２３）に機能的接続されている、第１カム要素（２３）と、
前記関節式レバーシステム（１６）の前記第１レバー（１７）又は前記第２レバー（１９）の一方に接続されている第２カム要素（２５）であって、前記弾性作動手段は、第２の軸方向に変形可能な弾性手段（２６）を有し、前記第２の軸方向に変形可能な弾性手段（２６）は、前記関節式レバーシステム（１６）の前記第１レバー（１７）又は前記第２レバー（１９）の他方に設置され、摺動又はローリング手段（２７）を介して前記第２カム要素（２５）に機能的に接続されており、前記摺動又はローリング手段（２７）は、前記第２の弾性手段（２６）が設けられたレバーによって摺動可能に支持されている、前記
第２カム要素（２５）と、
を含むことを特徴とする、請求項２に記載の引き上げシステム（１４）。
【請求項７】
前記第１の弾性手段（２４）は、
前記支持体（１５）に回転可能に接続されている第１部分（２８）と、
第２部分（２９）であって、前記第２部分（２９）は、長手軸に沿って摺動可能のように前記第１部分（２８）に接続され、前記レバー（１７）の回転ピン（１８）から離れている前記第１レバー（１７）における一点で回転及び摺動可能のようにシステムの前記第１レバー（１７）に更に接続されている、第２部分（２９）と、
前記第１部分（２８）と前記第２部分（２９）との間に挿入された少なくとも１つの軸方向に変形可能な弾性要素（３０）と、
前記第２部分（２９）に接続され、前記第１カム要素（２３）に作用するように形成及び設置された摺動又はローリング手段（３１）と、
を有することを特徴とする、請求項６に記載の引き上げシステム（１４）。
【請求項８】
前記摺動又はローリング手段は、前記カム手段に作用するように形成及び設置されたローラ（３１，２６）であることを特徴とする、請求項４〜７のいずれか１項に記載の引き上げシステム（１４）。
【請求項９】
前記第１の弾性手段（２４）の前記第２部分（２９）と前記レバーシステム（１６）の前記第１レバー１７との間の摺動及び回転の接続には、旋回軸（３２）が設けられ、
前記旋回軸（３２）は、前記第１レバー（１７）と一体化され、前記第１レバー（１７）に向けられた前記弾性手段の前記第２部分（２９）の端部に形成されたフォーク（３３）内で摺動及び回転可能のように係合されている、
ことを特徴とする、請求項４又は７に記載の引き上げシステム（１４）。
【請求項１０】
前記第２の弾性手段（２６）は、
前記レバーシステム（１６）の前記第１レバー（１７）に接続されている前記弾性手段を収容する第１部分（３４）及び第２部分（３５）を含み、
前記第２部分（３５）は、前記レバー（１７）の長手軸に沿って摺動可能のように前記レバー（１７）に接続され、
少なくとも１つの軸方向に変形可能な弾性要素（３６）は、前記第１部分（３４）と前記第２部分（３５）との間に挿入されている、
ことを特徴とする、請求項５〜７のいずれか１項に記載の引き上げシステム（１４）。
【請求項１１】
前記レバーシステム（１６）の前記第１レバー（１７）に接続された前記カム手段（２３）は、前記第１レバー（１７）に対して前記カム手段（２３）の位置を調節する調節手段（３７）を有することを特徴とする、請求項３，４，６，又は７のいずれか１項に記載の引き上げシステム（１４）。
【請求項１２】
前記調節手段において、前記カム手段（２３）は、
前記レバー（１７）の長手軸に対して横方向に摺動可能のように前記第１レバー（１７）に接続され、
前記レバー（１７）に対してカム手段（２３）を移動させるように作動することが可能な作動要素（３７）を有する、
ことを特徴とする、請求項１１に記載の引き上げシステム（１４）。
【請求項１３】
前記軸方向に変形可能な弾性手段（３０，３６）は、１つ以上の螺旋状圧縮スプリングを含むことを特徴とする、請求項１〜１２のいずれか一項に記載の引き上げシステム（１４）。
【請求項１４】
閉合位置の付近において、前記リーフ（１３）の閉じる動作を減速させるように形成及び設置された減速装置（４８）を備えることを特徴とする、請求項１〜１３のいずれか一項に記載の引き上げシステム（１４）。
【請求項１５】
前記減速装置（４８）は、流体作動式リニア減速器を含み、前記流体作動式リニア減速器は、移動可能な作動要素（５３）によって作動可能のように、前記支持体（１５）内に設置され、前記移動可能な作動要素（５３）は、前記関節式レバーシステム（１６）のレバー（１９）に機能的に接続されていることを特徴とする、請求項１４に記載の引き上げシステム（１４）。
【請求項１６】
請求項１〜１５のいずれか一項に記載の引き上げシステム（１４）と、
前記引き上げシステム（１４）の支持体（１５）と前記家具のリーフ（１３）との間のヒンジ結合の手段（３９，４１，４２，４３，４４，４５，４６）であって、前記家具の前記リーフ（１３）に固定可能な可動ヒンジ部を備え、前記可動ヒンジ部は、少なくとも１つのヒンジピン（４３，４４，４５，４６）を含む接続手段を介して前記支持体（１５）に回動可能のように接続されている、前記ヒンジ結合の手段（３９，４１，４２，４３，４４，４５，４６）と、
を備えることを特徴とする、
家具のリーフ用の支持及び引き上げアセンブリ。
【請求項１７】
前記支持体（１５）と前記可動ヒンジ部との間の接続手段は、
少なくとも第１及び第２の回動アーム（４１、４２）を有し、前記第１及び第２の回動アーム（４１、４２）のそれぞれには、第１及び第２のヒンジピン（４３，４４，４５，４６）が設けられ、前記第１及び第２のヒンジピン（４３，４４，４５，４６）は、前記支持体（１５）及び前記可動ヒンジ部のそれぞれに接続されていることを特徴とする、請求項１６に記載の家具のリーフ用の支持及び引き上げアセンブリ。
【請求項１８】
前記リーフ（１３）用の調節手段を備えることを特徴とする、請求項１６又は１７に記載の家具のリーフ用の支持及び引き上げアセンブリ。
【請求項１９】
前記調節手段は、支持体（１５）を有し、前記支持体（１５）は、
複数の部分（１５ａ、１５ｂ、１５ｃ、１５ｄ）によって形成され、
前記複数の部分（１５ａ、１５ｂ、１５ｃ、１５ｄ）は、
少なくとも２つの互いに横切る方向に沿って移動可能且つ調節可能のように相互に接続され、前記家具の固定部（１１，１２）に対して、垂直方向、横方向及び／又は前方方向に前記リーフ（１３）を移動させるように構成されている、
ことを特徴とする、請求項１８に記載の家具のリーフ用の支持及び引き上げアセンブリ。
【発明の詳細な説明】
【技術分野】
【０００１】
本発明は、少なくとも１つの水平軸に関して回動する家具のリーフ（ｌｅａｆ：自在板）用の引き上げシステム、及び当該引き上げシステムを備える家具のリーフ用の支持及び引き上げアセンブリに関する。
【背景技術】
【０００２】
家具分野では、少なくとも１つの水平軸の周りを回動運動によって上方に引き上げることができるリーフを有する家具の使用が知られている。このようなリーフは、ヒンジによって家具の固定した本体に特別に接続されており、ヒンジは、当該リーフがこの回動運動を実行できるように設計されている。リーフを引き上げるために、適合された引き上げシステムが設けられる。当該引き上げシステムは、従来、家具の固定部に接続可能な支持体と、支持体をリーフに接続可能な固定要素に接続する関節式レバーと、引き上げ開き位置に向けてリーフを押すように回転トルクを発生させるために、レバーシステムのレバーに機能的に接続されている弾性作動手段と、を含む。
【発明の概要】
【発明が解決しようとする課題】
【０００３】
例えば、第１レバーと第２レバーとを有する関節式レバーシステムを備える引き上げシステムが知られている。第１レバーと第２レバーとは、一端が相互に関節接合し、また、他端において、支持体と家具のリーフ上に設けられた固定要素と、それぞれ回転可能に接続される。
【０００４】
このような従来の引き上げシステムは、回動可能のために接続されたガスシリンダアクチュエータ（gas cylinder actuator）を更に備え、当該ガスシリンダアクチュエータは、支持体と関節式レバーシステムの第１レバーとの間に設置される。しかしながら、ガスシリンダアクチュエータは、時間の経過とともに、初期チャージを失う傾向があるため、提供される推力が徐々に低減し、次第にリーフを開くこと又は全開状態を維持することができなくなる欠点を有する。
【０００５】
このような欠点を克服するために、ガスシリンダアクチュエータの代わりに、螺旋状スプリング（helical spring）を使用する様々な方法が提案されている。しかしながら、圧縮位置と伸張位置との間の螺旋状スプリングの弾性特性が線形的で、且つ低減するため、リーフが開かれる間にスプリングが伸張し、弾性力が大幅に低減する。リーフが全開位置になったとき弾性力の低減が特に深刻である。これは、リーフを全開にすることができない、又はリーフが落下する危険性に繋がる。
【０００６】
したがって、前述した欠点を克服するように構成された引き上げシステムが必要とされている。
【課題を解決するための手段】
【０００７】
本発明の目標は、少なくとも１つの水平軸の周りを回動する家具のリーフ用の引き上げシステムを提供することである。耐久的にリーフの開きを駆動すること、及び全開状態を確実に維持することができ、したがって、偶発的又は望ましくない閉合による危険を回避することができる。
【０００８】
前記目標内において、本発明の１つの目的は、少なくとも１つの水平軸の周りで回動する家具のリーフ用の引き上げシステムを提供することであり、障害を大幅に低減する効果を有し、また、適合されたリーフのヒンジ手段に一体化することもできる。このようにして、非常にコンパクトで容易に取り付けられる支持及び引き上げアセンブリが構成される。
【０００９】
本発明の他の目的は、信頼性が高く、容易かつ実際に実施され、低コストである家具のリーフ用の引き上げシステムを提供することである。
【００１０】
この目的及び以下により明らかになるこれら及び他の目的は、閉合位置と引き上げ開き位置との間において少なくとも１つの水平軸の周りを回動する家具のリーフ用の引き上げシステムによって実現される。
前記家具の固定部に接続可能な支持体と、
前記支持体を前記家具のリーフに接続する関節式レバーシステムであって、前記レバーシステムは、回転ピンを介して前記支持体に回転可能に接続された一端を有する第１レバーと、前記家具の前記リーフに固定するための要素に回転可能に接続可能な一端を有する第２レバーとを含み、前記第１レバーと前記第２レバーとは、それぞれの他端において相互に関節接合している、前記関節式レバーシステムと、
前記レバーシステムの回転トルクを発生させるために、前記関節式レバーシステムに機能的に接続された弾性作動手段と、
を備える前記引き上げシステムにおいて、
前記弾性作動手段と協働して、前記リーフの前記引き上げ位置を含む前記リーフの開く方向の少なくとも一部の回動に沿って前記回転トルクを増加させる手段を備えることを特徴とする、引き上げシステムである。
【００１１】
本発明のさらなる特徴及び利点は、添付の図面における限定されない例によって示される本発明の好ましいが限定的ではない実施形態の説明からより明らかになるであろう。
【図面の簡単な説明】
【００１２】
【図１】リーフが閉合位置にあるように示されている、本発明の一好ましい実施形態に係る少なくとも１つの水平軸の周りを回動する家具のリーフ用の引き上げシステムの縦断面図である。
【図２】リーフが部分開き位置にあるように示されている、図１のアセンブリの縦断面図である。
【図３】リーフが全開位置にあるように示されている、図１のアセンブリの縦断面図である。
【図４】図１の線ＩＶ−ＩＶに沿って得られた断面図である。
【図５】本発明に係る引き上げシステムの一変形例の縦断面図である。
【図６】本発明に係る引き上げシステムの第２変形例の縦断面図である。
【発明を実施するための形態】
【００１３】
添付図面において、同一の参照符号が同一の要素を示しており、家具は、全体的に参照符号１０で示されている。家具１０は、側壁１１と、天板１２と、リーフ１３とを備え、リーフ１３は、以下に説明するように、適合されたヒンジ手段によって少なくとも１つの水平軸の周りを回動することができる。
【００１４】
具体的には、リーフ１３は、閉合位置と引き上げ開き位置との間で移動することができ、閉合位置は、垂直な平面にあり、引き上げ開き位置は、実質的に水平面にある。
【００１５】
前述した開く動作を駆動するために、参照符号１４で全体的に示された引き上げシステムは、支持体１５を備え、支持体１５は、家具の固定部、特に側壁１１に接続することができる。また、引き上げシステム１４は、支持体１５を家具のリーフ１３に接続する関節式レバーシステム１６と、弾性作動手段とを備える。弾性作動手段は、後述するように、レバーシステムの回転トルクを生成するために、関節式レバーシステム１６に機能的に接続されている。
【００１６】
次に、レバーシステム１６は、第１回転ピン１８を介して支持体１５に回転可能に接続された一端を有する第１レバー１７と、第２回転ピン２０を介して家具のリーフ１３に取り付け可能な固定要素２１に回転可能に接続可能な一端を有する第２レバー１９とを含む。また、第１レバー１７と第２レバー１９とは、中間関節ピン２２を介してそれぞれの他端において相互に関節接合している。
【００１７】
レバーシステム１６の回転トルクを発生するために、通常、支持体１５と、レバーの回転ピン１８から一定の距離を離れている第１レバー１７における一点との間に弾性手段を接続し、弾性手段の力のレバーアームを形成することによって前記トルクを発生させることが可能である。
【００１８】
レバー１７の回動は、増加するレバーアームを生成し、当該増加するレバーアームは、弾性手段によって生じたトルクを、開く動作中にリーフによって発生される対向トルク
に調整する。
【００１９】
本発明によれば、引き上げシステム１４は、関節式レバーシステム１６のレバー１７，１９の少なくとも一方にカム手段を設け、このようなカム手段は、弾性作動手段と適切に相互作用するように形成及び設置されることによって、さらなるトルク量を発生する。当該さらなるトルク量は、リーフ１３の引き上げ位置にあるリーフの少なくとも一部の回動に沿って、このような便利に構成されたカム手段が存在しない場合に、弾性手段によって生じるレバーシステムの回転トルクに加えられる。
【００２０】
図に示す好ましい実施形態において、カム手段は、関節式レバーシステム１６の第１レバー１７に接続されている第１カム要素２３を含み、当該第１カム要素２３は、第１の軸方向に変形可能な弾性応力手段２４と相互作用する。弾性応力手段２４は、支持体１５と第１レバー１７との間に設置され、第１カム要素２３に機能的に接続されている。
【００２１】
さらに、好ましくは、カム手段は、関節式レバーシステム１６の第１レバー１７又は第２レバー１９の一方に接続された第２カム要素２５を含む。例えば、第２カム要素２５は、第２レバー１９上の中間関節ピン２２で接続される。このような第２要素２５は、関節式レバーシステムの第１レバー１７又は第２レバー１９の他方に設置された第２の軸方向に変形可能な弾性手段２６と相互作用する。例えば、弾性手段２６は、第１レバー１７上に設置され、摺動又はローリング手段２７を介して第２カム要素２５に機能的に接続される。摺動又はローリング手段２７は、第２の弾性手段２６が設けられたレバー１７によって摺動可能に支持されている。
【００２２】
好ましくは、第１弾性手段２４は、支持体１５に回転可能に接続されている第１部分２８と、第１部分２８に接続され、縦軸に沿って摺動可能な第２部分２９とを有する。第２部分２９は、システム１６の第１レバー１７に接続され、レバー１７の回転ピン１８から離れている第１レバー１７における一点で回転及び摺動することができる。
【００２３】
第１部分２８と第２部分２９との間には、少なくとも１つの軸方向に変形可能な弾性要素、好ましくは、螺旋状スプリング３０が挿入されている。
【００２４】
更に、摺動またはローリング手段、好ましくは、ローラ３１は、第２部分２９に接続されている。ローラ３１は、第１カム要素２３に作用するように形成及び設置される。
【００２５】
好ましくは、第１弾性手段２４の第２部分２９と、レバーシステム１６の第１レバー１７との間の回転可能且つ摺動可能な接続は、旋回軸３２によって得られる。旋回軸３２は、第１レバー１７と一体化され、より好ましくは、第１カム要素２３と一体化され、回転ピン１８から離れているレバー１７における前記一点に設置される。このような旋回軸３２は、第１レバー１７に向けられた弾性手段の第２部分２９の端部に形成されたフォーク３３内で摺動及び回転できるように係合される。
【００２６】
第１弾性手段２４と、第１カム要素２３を有する第１レバー１７との間のこのような回転可能且つ摺動可能な接続によって、レバーシステム１６の回転トルクの増加及び最適化の第１効果が得られる。具体的には、ローラ３１は、第１カム要素２３に推力を与え、当該推力は、第１レバー１７の角度位置の関数であり、少なくともリーフ１３の引き上げ位置において、ピン１８に対して推力のレバーアームを最大化する可変方向により方向付けられる。リーフ１３の引き上げ位置において、始めに図１のリーフ１３の閉合位置の折り畳み状態にあるレバー１７，１９は、図３の延伸状態になる。
【００２７】
レバーシステム１６の回転トルクの増加及び最適化のさらなる効果は、例えば、第２レバー１９に接続されている第２カム要素２５によって得られる。具体的には、このような第２要素２５は、第２の軸方向に変形可能な弾性手段２６と相互作用する。弾性手段２６は、関節式レバーシステムの他方のレバーに、例えば、第１レバー１７に設置され、摺動又はローリング手段、例えば、ローラ２７、によって第２要素２５に機能的に接続される。摺動又はローリング手段は、第２の弾性手段２６が設けられたレバー１７によって摺動可能に支持されている。
【００２８】
好ましくは、第２の弾性手段２６は、システム１６の第１レバー１７に接続されている弾性手段を収容する第１部分３４と第２部分３５とを含み、第２部分３５は、レバー１７の長手軸に沿って摺動することができるようにレバー１７に接続されている。
【００２９】
第１部分３４と第２部分３５との間には、少なくとも１つの軸方向に変形可能な弾性要素、好ましくは、螺旋状スプリング３６が挿入されている。
【００３０】
摺動又はローリング手段、好ましくは、ローラ２７は、第２カム要素２５に作用するように成形及び設置された第２部分３５に接続されている。
【００３１】
第２カム要素２５、及び第２カム要素２５と相互作用する第２の弾性手段２６によって、レバーシステム１６の付加的な回転トルクを得ることが可能である。前記回転トルクとして、特に図３の全開位置における開く方向に作用するトルク、及び、好ましくは、図１の閉合位置における閉じる方向に作用するトルクが得られる。図１の閉合位置における閉じる方向に作用するトルクは、カム要素２５を都合よく形成することによってリーフ１３を閉合状態に維持するために、前述した位置でスプリング３６を解放するように作用する。
【００３２】
好ましくは、閉合位置における閉じる方向に作用するトルクは、第２カム要素２５を都合よく形成することによって得られる。そうすれば、カムにより規定された死点を通過すると、スプリング３６によって生じた力は、レバーアームによってカム要素２５に作用する。当該レバーアームは、図１に示すように、ピン２２に対して第２レバー１９を時計回りに回転させる傾向があるものである。
【００３３】
対照的に、リーフが開かれると、カムの上記死点を通過すると、スプリング３６は、前記レバーアームに対して反対のレバーアームによってカム要素２５に作用する力を生じ、当該力は、図１のピン２２に対して第２レバー１９を反時計回りに回転させる傾向があるため、リーフの開く方向にトルクが生じる。
【００３４】
好ましくは、第１カム手段２３は、第１弾性手段２４により発生されたトルクを、例えば、リーフ１３の重量の関数として適合させることができる調節手段を有する。
【００３５】
このような調節手段において、例えば、第１カム要素２３は、第１レバー１７に接続され、その自身のレバー１７の長手軸に対してほぼ横方向に適切に摺動することができる。これは、例えば、スロットを介してカム要素２３をピン１８に接続することによって実現される。また、第１カム要素２３を所望の位置に動かすための作動要素、例えば、ねじ又はねじ付きグラブスクリュー（grub screw）３７が設けられてもよい。
【００３６】
リーフ１３を回動可能に支持するために、ヒンジ手段は、例えば、少なくとも２つのヒンジ３８を含む。ヒンジ３８のそれぞれは、好ましくは、家具の天板１２又は側壁１１に接続可能な固定部３９と、固定要素２１に一致し、且つリーフ１３に接続可能な可動部と、少なくとも第１アーム４１及び第２アーム４２と、を含む。第１アーム４１及び第２アーム４２は、リーフ１３を回動可能にするように、固定部３９と、少なくとも第１ヒンジピン４３，４４及び第２ヒンジピン４５，４６を介して、それぞれ可動部と接続する。
【００３７】
ヒンジ３８は、別個の要素であって、引き上げシステム１４と独立して家具に固定されてもよい。好ましい実施形態において、それらは、システム１４と一体化アセンブリを構成することができる。例えば、ヒンジ３８の固定部３９は、引き上げシステム１４の支持体１５の前部又は延長部、又は支持体１５の一部分１５ｄによって構成され、部分１５ｄは、その自身の支持体１５に対して移動及び調節できるように支持される。
【００３８】
このような一体化されたアセンブリは、空間占有の点、及びヒンジと引き上げシステムとを別々に取り付ける点の両方において利点を有する。
【００３９】
この観点から、より好ましくは、支持体１５を固定して、側壁１１及びリーフ１３に近接する天板１２に付着させる。
【００４０】
前述した好ましい実施形態の一代替案として、支持体１５とレバーシステム１６の第１レバー１７との間に設置され、且つ第１レバー１７に機能的に接続された軸方向に変形可能な弾性手段が設けられれば、簡素化された実施形態が可能である。当該実施形態において、１つのみのカム要素が設けられ、先程述べた弾性手段（図５参照）と、又はレバーシステム１６のレバー１７，１９の一方に設けられた第２弾性手段（あれば）とのいずれかに相互作用する（図６参照）。
【００４１】
具体的には、第２実施形態が可能である。図５に示すように、当該実施形態において、カム手段は、１つのみのカム要素を含み、当該カム要素は、前述した実施形態における関節式レバーシステムの第１レバー１７に接続される第１カム要素２３に対応するものであって、また、支持体１５と第１レバー１７との間に設置され、前記カム要素に機能的に接続された弾性作動手段のみが設けられている。
【００４２】
この場合、前述した実施形態に類似するように、弾性手段は、支持体に回転可能に接続された第１部分と、当該第１部分に接続され、長手軸に沿って摺動可能な第２部分とを含み、第２部分は、システムの第１レバーに接続され、レバーの回転ピンから離れている第１レバーにおける一点で回転及び摺動することができる。
【００４３】
また、弾性手段は、第１部分と第２部分との間に挿入された少なくとも１つの軸方向に変形可能な弾性要素と、第２部分に接続され、カム手段に作用するように形成及び設置された摺動又はローリング手段とを含む。
【００４４】
このような第２実施形態は、レバーシステムのレバーに設置されるさらなる弾性手段を有しない。また、それらと相互作用するさらなるカム手段も有しない。従って、得られるのは、レバーシステム１６の回転トルクの増加及び最適化の効果であって、当該効果は、主に弾性手段と第１カム要素を有する第１レバー１７との間の回転可能且つ摺動可能な接続から導かれるものである。
【００４５】
上述のように、他の簡素化された実施形態も可能である。当該実施形態において、１つのみのカム要素が設けられ、レバーシステムのレバーの１つに設けられた第２弾性手段と相互作用する。
【００４６】
具体的には、図６に示すように、第３実施形態が可能である。当該実施形態において、弾性作動手段は、支持体と関節式レバーシステムの第１レバーとの間に設置され、前述した実施形態に係る第１カム手段を有することなく、直接的に第１レバーに機能的に接続される第１の軸方向に変形可能な弾性手段を有する。その代わり、第１実施例のカム要素２５に対応するカム要素によって構成されたカム手段が設けられ、当該カム手段は、関節式レバーシステムのレバーの１つに接続され、第２の軸方向に変形可能な弾性手段に相互作用する。第２の軸方向に変形可能な弾性手段は、関節式レバーシステムのレバーの他方のレバーに設けられ、摺動又はローリング手段を介してカム要素に機能的に接続される。当該摺動又はローリング手段は、第２弾性手段を有するレバーによって摺動可能のように支持されている。
【００４７】
このようなカム要素及びそれと相互作用する第２弾性手段によって、レバーシステムの付加的な回転トルクを得ることができる。当該付加的な回転トルクは、第１レバーと直接に相互作用する第１弾性手段により得られるトルクに加えられる。
【００４８】
好ましくは、弾性要素は、１つ以上の螺旋状圧縮スプリングによって構成されるが、異なる類型の弾性手段を使用する可能性は、排除されるものではない。例えば、スプリングを支持する構造に関連する１つ以上の螺旋状牽引スプリングなど、軸方向の推力を提供するために用いられる任意の弾性手段であってもよい。
【００４９】
家具の本体１１，１２に対してリーフ１３の位置の調節を可能にするために、好ましくは、支持ヒンジ又はリーフ１３を支持及び引き上げるためのアセンブリに係る適切な調節手段が設けられる。
【００５０】
特に、引き上げシステムの図１及び図４によりよく示されているように、好ましくは、このような調節手段において、支持体１５は、側壁１１及び／又は天板１２に固定された第１部分１５ａと、第１偏心要素４７’を介して第１方向、例えば、前方方向、に沿って移動及び調節することができるように第１部分１５ａに接続された第２部分１５ｂと、ねじ４７’’を介して第２方向、例えば、横方向、に沿って移動及び調節することができるように第２部分１５ｂに接続された第３部分１５ｃと、第２偏心要素４７’’’を介して第３方向、例えば、垂直方向、に沿って移動及び調節することができるように第３部分１５ｃに接続された第４部分１５ｄと、によって形成される。
【００５１】
このようにして、リーフ１３は、提供された作動手段、特に偏心要素４７’、４７’’’、及びねじ４７’’を、手動又は工具によって作動させることによって、家具の本体に対して前方、横及び垂直に簡単に調節することができる。
【００５２】
好ましくは、引き上げシステム１４は、全閉位置の付近でリーフ１３の閉じる動作を減速させるための減速装置４８、例えば、流体作動式リニア減速器又は回転減速器を備える。
【００５３】
図示された好ましい解決法において、減速装置４８は、支持体１５内に設置された流体作動式リニア減速器を備え、当該リニア減速器は、例えば、オイルなどの流体を収容するシリンダ５０が移動可能に挿入されている容器４９を有する。シリンダ５０の内部に、シリンダ５０から突出して容器４９の後壁に接触するように設けられたロッド５２を有する摺動可能なピストン５１が設置されている。
【００５４】
リニア減速器を作動させるために、移動可能な作動要素５３が設けられている。作動要素５３は、関節式レバーシステム１６のレバーに、好ましくは、ヒンジピン５４を介して第２レバー１９に機能的に接続され、且つ支持体１５と一体の旋回軸５５と摺動可能のように接続されて、減速装置４８を作動させるためにリーフ１３の閉合中に作動要素５３に線形的成分を有する動作を与えるように構成されている。
【００５５】
実際に、本発明による家具のリーフ用の引き上げシステムが、リーフの全開を駆動すること、及びそのような全開状態を確実に維持することを実現できる点で、設定された目標及び目的を完全に達成したことが明らかになっている。このように、偶発的な閉合の危険を回避する。
【００５６】
本発明による家具のリーフ用の引き上げシステムは、多数の修正及び変形が可能であり、それらの全ては添付の特許請求の範囲内に含まれる。更に、全ての詳細は、技術的に同等の要素によって代えてもよい。
【００５７】
実際に、使用される材料及び不特定の形状は、要求及び技術水準に応じて任意に採用されてもよい。
【００５８】
本出願は、イタリア特許出願番号第ＭＩ２０１５Ａ０００２２１（１０２０１５９０２３３０８８１）に基づいて優先権を主張するものであり、その全体の内容が参照によりここに組み込まれる。
【００５９】
特許請求の範囲に記載されている技術的特徴の後に参照符号が付されている場合、それらの参照符号は、特許請求の範囲の明瞭性を高めるためのみに含まれている。したがって、そのような参照符号は、例としてそのような参照符号によって識別される各要素の解釈にいかなる限定的な影響も及ぼさないものである。
【図１】
2018508677.tif 000003
【図２】
2018508677.tif 000004
【図３】
2018508677.tif 000005
【図４】
2018508677.tif 000006
【図５】
2018508677.tif 000007
【図６】
2018508677.tif 000008
【国際調査報告】
2018508677.tif 000009
2018508677.tif 000010
2018508677.tif 000011